【事件の表示】
　特願２００８−　７６１８７号「リモートコントロール装置」拒絶査定不服審判事件〔平成２１年１０月　８日出願公開、特開２００９−２２９００９号〕について、次のとおり審決する。
【結　論】
　本件審判の請求は、成り立たない。
【理　由】
第１．手続の経緯
　本願は、平成２０年３月２４日の出願であって、平成２４年９月５日付けで拒絶査定がなされ(発送日：９月１１日）、これに対して、平成２４年１２月１０日に拒絶査定不服審判の請求がなされ、この審判請求と同時に手続補正書が提出されたものであり、さらに、その後、当審において平成２５年７月９日、平成２５年１０月４日付けで拒絶理由が通知され、各々の拒絶理由に対して、意見書及び補正書が、平成２５年９月１２日付け、平成２５年１２月６日付けで提出されたものである。
　
第２．平成２５年１２月６日付け手続補正の適否
　平成２５年１０月４日付け拒絶通知は、特許法第１７条の２第１項第３号に規定する「最後の拒絶理由通知」として通知されたものであるので、最初に平成２５年１２月６日の手続補正の適否につき検討する。
　
１．補正の内容
　平成２５年１２月６日の手続補正（以下「本件補正」という。）は、補正前の特許請求の範囲の請求項１〜１２を、補正後の特許請求の範囲の請求項１〜１１に補正するとともに、特許請求の範囲の補正と整合を図るように明細書段落【００１７】を補正するものであり、そのうちの補正前後の特許請求の範囲は、以下のとおりである（下線は、補正箇所に対応）。
　
（補正前）
「　【請求項１】
　空気調和機、冷熱機器および／または給湯機に係る機器に対して設けられるリモートコントロール装置であって、
　表示信号に基づく表示を行うドットマトリクス方式の表示パネルを有する表示手段と、
　前記表示パネルに沿って並んで配置され、押下されると操作信号を送信する複数のファンクションキーと、
　押下されると、予め定められた機能に対する処理に応じた操作信号を送信する固定キーと、
　前記機器における動作状態を文字および／または図柄で、前記表示パネル内のメイン表示部分に表示させるとともに、増加指示を示す内容と減少指示を示す内容とを含む前記ファンクションキーによる前記機器の動作状態に合わせた操作内容を、前記表示パネル内の前記ファンクションキーの近傍となる操作ガイド部分に表示させる前記表示信号を前記表示手段に送信する制御処理手段と
を備え、
　前記制御処理手段は、互いに隣り合う前記ファンクションキーによる操作内容が、増加指示を示す内容と減少指示を示す内容とを含む同類の前記処理に関するものであるときには、前記ファンクションキーの操作内容の上位概念の内容を示す文字を中央に表示させるように前記互いに隣り合うファンクションキーの操作内容の表示を一体化して、前記表示手段の前記操作ガイド部分に表示させ、
　前記固定キーの予め定められた機能は設定項目の一覧であるメニューを表示する機能であり、
　前記制御処理手段は、前記固定キーが送信した操作信号により前記メイン表示部分に前記メニューを表示する
ことを特徴とするリモートコントロール装置。
　　【請求項２】
　前記制御処理手段は、
　前記増加指示を示す内容と前記減少指示を示す内容とを含むファンクションキーからの操作信号により前記設定項目の選択に係る表示を行い、
　前記固定キーとして定められた機能である決定キーからの操作信号により決定した設定項目に基づいて、前記操作ガイド部分の表示を変更する
ことを特徴とする請求項１に記載のリモートコントロール装置。
　　【請求項３】
　前記制御処理手段は、
　前記ファンクションキーの操作内容の表示を一体化した前記操作ガイド部分の表示を変更することを特徴とする請求項２に記載のリモートコントロール装置。
　　【請求項４】
　前記互いに隣り合うファンクションキーと前記操作ガイド部分の間隔が１０ｍｍ以下であることを特徴とする請求項１〜３のいずれかに記載のリモートコントロール装置。
　　【請求項５】
　前記ファンクションキーを枠の印字又はケースの窪みで装飾し、
　前記装飾と前記操作ガイド部分の間隔が１０ｍｍ以下であることを特徴とする請求項１〜３のいずれかに記載のリモートコントロール装置。
　　【請求項６】
　前記制御処理手段は、送信されても処理を行わない操作信号に係る前記ファンクションキーに対応する表示部分には、操作が無効であることを示すために、前記操作内容を表示させないまたは有効な操作内容表示と異なる表示を前記表示手段に行わせることを特徴とする請求項１〜５のいずれかに記載のリモートコントロール装置。
　　【請求項７】
　前記制御処理手段は、前記表示手段に表示させるメインとなる画面を、選択により設定した画面で表示させることを特徴とする請求項１〜６のいずれかに記載のリモートコントロール装置。
　　【請求項８】
　前記制御処理手段は、所定期間内の前記操作処理の回数に基づいて選択した、前記操作処理に関する文字および／または図柄からなる画像を、メインとなる画面に表示させることを特徴とする請求項１〜７のいずれかに記載のリモートコントロール装置。
　　【請求項９】
　前記制御処理手段は、前記ファンクションキーからの操作信号を入力すると、その操作信号に基づく処理対象に係る表示を、前記表示手段に一定時間大きく表示させることを特徴とする請求項１〜８のいずれかに記載のリモートコントロール装置。
　　【請求項１０】
　前記制御処理手段は、前記ファンクションキーからの操作信号に基づいて処理を行う際、その操作信号に係るファンクションキーに対応する操作内容表示部分を所定の回数点滅させる表示を前記表示手段に行わせることを特徴とする請求項１〜９のいずれかに記載のリモートコントロール装置。
　　【請求項１１】
　前記表示手段の表示パネルはバックライトを有しており、
　前記制御処理手段は、前記ファンクションキーからの操作信号に基づいて処理を行う際、前記バックライトを所定の回数点滅させることを特徴とする請求項１〜１０のいずれかに記載のリモートコントロール装置。
　　【請求項１２】
　前記ファンクションキーおよびその周辺部分には、操作内容に係る文字および／または絵柄を記載しないことを特徴とする請求項１〜１１のいずれかに記載のリモートコントロール装置。」
　
（補正後）
「　【請求項１】
　空気調和機、冷熱機器および／または給湯機に係る機器に対して設けられるリモートコントロール装置であって、
　表示信号に基づく表示を行うドットマトリクス方式の表示パネルを有する表示手段と、
　前記表示パネルに沿って並んで配置され、押下されると操作信号を送信する複数のファンクションキーと、
　押下されると、予め定められた機能に対する処理に応じた操作信号を送信する固定キーと、
　前記機器における動作状態を文字および／または図柄で、前記表示パネル内のメイン表示部分に表示させるとともに、増加指示を示す内容と減少指示を示す内容とを含む前記ファンクションキーによる前記機器の動作状態に合わせた操作内容を、前記表示パネル内の前記ファンクションキーの近傍となる操作ガイド部分に表示させる前記表示信号を前記表示手段に送信する制御処理手段と
を備え、
　前記制御処理手段は、互いに隣り合う前記ファンクションキーによる操作内容が、増加指示を示す内容と減少指示を示す内容とを含む同類の前記処理に関するものであるときには、前記ファンクションキーの操作内容の上位概念の内容を示す文字を中央に表示させるように前記互いに隣り合うファンクションキーの操作内容の表示を一体化して、前記表示手段の前記操作ガイド部分に表示させ、
　前記固定キーの予め定められた機能は設定項目の一覧であるメニューを表示する機能であり、
　前記制御処理手段は、前記固定キーが送信した操作信号により前記メイン表示部分に前記メニューを表示
し
　
前記増加指示を示す内容と前記減少指示を示す内容とを含むファンクションキーからの操作信号により前記設定項目の選択に係る表示を行い
　
前記固定キーとして定められた機能である決定キーからの操作信号により決定した設定項目に基づいて、前記操作ガイド部分の表示を変更する
　　【請求項２】
　前記制御処理手段は、
　前記ファンクションキーの操作内容の表示を一体化した前記操作ガイド部分の表示を変更することを特徴とする請求項
１
　　【請求項３】
　前記互いに隣り合うファンクションキーと前記操作ガイド部分の間隔が１０ｍｍ以下であることを特徴とする請求項
１又は２
　　【請求項４】
　前記ファンクションキーを枠の印字又はケースの窪みで装飾し、
　前記装飾と前記操作ガイド部分の間隔が１０ｍｍ以下であることを特徴とする請求項
１又は２
　　【請求項５】
　前記制御処理手段は、送信されても処理を行わない操作信号に係る前記ファンクションキーに対応する表示部分には、操作が無効であることを示すために、前記操作内容を表示させないまたは有効な操作内容表示と異なる表示を前記表示手段に行わせることを特徴とする請求項１〜
４
　　【請求項６】
　前記制御処理手段は、前記表示手段に表示させるメインとなる画面を、選択により設定した画面で表示させることを特徴とする請求項１〜
５
　　【請求項７】
　前記制御処理手段は、所定期間内の前記操作処理の回数に基づいて選択した、前記操作処理に関する文字および／または図柄からなる画像を、メインとなる画面に表示させることを特徴とする請求項１〜
６
　　【請求項８】
　前記制御処理手段は、前記ファンクションキーからの操作信号を入力すると、その操作信号に基づく処理対象に係る表示を、前記表示手段に一定時間大きく表示させることを特徴とする請求項１〜
７
　　【請求項９】
　前記制御処理手段は、前記ファンクションキーからの操作信号に基づいて処理を行う際、その操作信号に係るファンクションキーに対応する操作内容表示部分を所定の回数点滅させる表示を前記表示手段に行わせることを特徴とする請求項１〜
８
　　【請求項１０】
　前記表示手段の表示パネルはバックライトを有しており、
　前記制御処理手段は、前記ファンクションキーからの操作信号に基づいて処理を行う際、前記バックライトを所定の回数点滅させることを特徴とする請求項１〜
９
　　【請求項１１】
　前記ファンクションキーおよびその周辺部分には、操作内容に係る文字および／または絵柄を記載しないことを特徴とする請求項１〜
１０
　
２．判断
　補正前後の特許請求の範囲を対比すると、補正後の特許請求の範囲は、補正前の特許請求の範囲における請求項１を削除し、補正前の請求項２を独立項の型式に書き直して補正後の請求項１とするものである。そして、補正前の請求項２に従属する補正前の請求項３〜１２を繰り上げて新たな請求項２〜１１とするとともに、引用する請求項を新たな請求項に整合させたものである。
　
　よって、本件補正における特許請求の範囲についてする補正は、特許法第１７条の２第５項第１号に規定する請求項の削除を目的とするものに該当する。
　
　また、本件補正は、新規事項を含むものでなく、特許法第１７条の２第３項の規定に違反するものではない。
　
　したがって、本件補正は、適法になされた補正である。
　
第３．本願発明について
１．本願発明
　本件補正は、上述のとおり適法な補正であるので、本願の請求項１〜１１に係る発明は、平成２５年１２月６日付けの手続補正書によって補正された特許請求の範囲の請求項１〜１１に記載された事項により特定されるとおりのものであると認められるところ、そのうち請求項１に係る発明（以下「本願発明」という。）は、上記「第２．１補正の内容（補正後）」の項の【請求項１】に記載されたとおりのもの（以下に再掲）である。
　
「　【請求項１】
　空気調和機、冷熱機器および／または給湯機に係る機器に対して設けられるリモートコントロール装置であって、
　表示信号に基づく表示を行うドットマトリクス方式の表示パネルを有する表示手段と、
　前記表示パネルに沿って並んで配置され、押下されると操作信号を送信する複数のファンクションキーと、
　押下されると、予め定められた機能に対する処理に応じた操作信号を送信する固定キーと、
　前記機器における動作状態を文字および／または図柄で、前記表示パネル内のメイン表示部分に表示させるとともに、増加指示を示す内容と減少指示を示す内容とを含む前記ファンクションキーによる前記機器の動作状態に合わせた操作内容を、前記表示パネル内の前記ファンクションキーの近傍となる操作ガイド部分に表示させる前記表示信号を前記表示手段に送信する制御処理手段と
を備え、
　前記制御処理手段は、互いに隣り合う前記ファンクションキーによる操作内容が、増加指示を示す内容と減少指示を示す内容とを含む同類の前記処理に関するものであるときには、前記ファンクションキーの操作内容の上位概念の内容を示す文字を中央に表示させるように前記互いに隣り合うファンクションキーの操作内容の表示を一体化して、前記表示手段の前記操作ガイド部分に表示させ、
　前記固定キーの予め定められた機能は設定項目の一覧であるメニューを表示する機能であり、
　前記制御処理手段は、前記固定キーが送信した操作信号により前記メイン表示部分に前記メニューを表示し、
　前記増加指示を示す内容と前記減少指示を示す内容とを含むファンクションキーからの操作信号により前記設定項目の選択に係る表示を行い、
　前記固定キーとして定められた機能である決定キーからの操作信号により決定した設定項目に基づいて、前記操作ガイド部分の表示を変更する
ことを特徴とするリモートコントロール装置。」
　
２．刊行物とその記載事項
（１）当審において通知した平成２５年１０月４日付け拒絶理由（以下「当審拒絶理由」という。）で引用した、本願出願前に頒布された刊行物である実願昭６３−１１０９７２号（実開平２−３２２９１号）のマイクロフィルム（以下「刊行物１」という。）には、図面と共に、以下の記載がある。
　
ア．「本考案はエアコン等の運転操作に供される表示装置を具えたリモートコントローラに関する。」（明細書第１頁第１８行〜第１９行）
　
イ．「本考案は上記問題点に鑑みてなされたものであって、大きな表示装置を用いず、しかも操作キースイッチの数を増加させることなく表示装置と操作キースーッチを対応配置することができ、小型にして操作性の良いリモートコントローラを提供することを目的とする。」（同第２頁第１３行〜第１８行）
　
ウ．「本考案によるリモートコントローラは第１図及び第２図に示されているように、筐体１内には基板２が配設され、この基板２上に表示装置３と切替キースイッチ４と複数の設定キースイッチ５が搭載されている。上記表示装置３は基板２上にコネクタ６を介して上下に積層された第１の表示画面を構成する第１の液晶パネル７と第２の表示画面を構成する第２の液晶パネル８とにより構成され、これら第１、第２の液晶パネル７, ８は上記切替キースイッチ４によって選択的に切替え表示されるが、第１の液晶パネル７は常時表示されるように設定されている。一方、
上記第１の液晶パネル７の表示画面は第３図（ａ）に示されているように温度（ＤＯＷＮ、ＵＰ）、タイマー、時刻（ＤＯＷＮ、ＵＰ）の各機能表示部９と、これに対応して、その状態を表示する
運転モードの場合、自動運転、暖房、冷房、ドライ等の状態表示部12
　
エ．「上記構成において、常時第１の液晶パネル７の画面が表示されているが、この状態において、
例えばタイマーの設定を行う場合は、タイマー機能表示部９に対応する設定キースイッチ５を押すことによって状態表示部10の表示は連続、切、入等に選択的に切替え設定され、その状態が表示され、また、例えば、運転モードの設定を行う場合は、切替えキースイッチ４を押して第２の液晶パネル８の画面に切替えて、この運転モードの機能表示部11に対応する設定キースイッチ５を押すことによって状態表示部12の表示は自動運転、暖房、冷房ドライ等に選択的に切替え設定され、その状態が表示される
　
オ．図面には、以下の事項が図示されている。
・設定キースイッチ５は、液晶パネル７、８により構成される表示装置３に並んで配置されていること（第２図）
・エアコンにおける動作状態は、温度、タイマー、時刻等の機能表示部９、11に対応した、文字および／または図柄で、液晶パネル７、８内の状態表示部10、12に表示されること（第３図）
・互いに隣り合う設定キースイッチ５による操作内容が、例えば左端の隣り合う設定キースイッチ５に割り当てられる「温度ＤＯＷＮ」、「温度ＵＰ」のように、増加指示を示す内容と減少指示を示す内容とを含む同類の処理に関するものであるときには、機能表示部９には「▼　温度　▲」というように、設定キースイッチ５の操作内容の上位概念の内容を示す文字である「温度」を中央に表示させるように前記互いに隣り合う設定キースイッチ５の操作内容の表示を一体化して表示されること（第２、３図）
　
カ．リモートコントローラの技術分野における技術常識を参酌すれば、リモートコントローラが、表示信号を表示装置３に送信する制御処理手段を有していること、及び、切替えキースイッチ４、設定キースイッチ５が、押下されると操作信号を送信するものであることは明らかである。
　
　上記記載事項ア〜エ、図示事項オ、認定事項カを総合すると、刊行物１には、次の発明（以下「刊行物１記載の発明」という。）が記載されているものと認められる。
　
　エアコンの操作に用いられるリモートコントローラであって、
　表示信号に基づく表示を行う画面が切り替え可能な積層された二枚の液晶パネル７、８を有する表示装置３と、  
 　前記液晶パネル７、８に沿って並んで配置され、押下されると操作信号を送信する複数の設定キースイッチ５と、  
 　押下されると、液晶パネル７、８の切替え処理に応じた操作信号を送信する切替えキースイッチ４と、  
 　エアコンにおける動作状態を文字および／または図柄で、前記液晶パネル７、８内の状態表示部10、12に表示させるとともに、増加指示を示す内容と減少指示を示す内容とを含む前記設定キースイッチ５によるエアコンの動作状態に合わせた操作内容を、前記液晶パネル７、８内の前記設定キースイッチ５に近接配置される機能表示部９、11に表示させる前記表示信号を前記表示装置３に送信する制御処理手段と  
 を備え、  
 　前記制御処理手段は、互いに隣り合う設定キースイッチ５による操作内容が、増加指示を示す内容と減少指示を示す内容とを含む同類の前記処理に関するものであるときには、前記設定キースイッチ５の操作内容の上位概念の内容を示す文字を中央に表示させるように前記互いに隣り合う設定キースイッチ５の操作内容の表示を一体化して、前記表示装置３の前記機能表示部９、11に表示させ、 
　前記切替えキースイッチ４の機能は液晶パネル７、８の切替え機能であり、
　前記制御処理手段は、前記切替えキースイッチ４が送信した操作信号により液晶パネル７、８を切替表示する、リモートコントローラ。
　
（２）当審拒絶理由で引用した、本願出願前に頒布された刊行物である特開２００２−２２２５０号公報（以下「刊行物２」という。）には、図面と共に、以下の記載がある。
　
キ．「【０００７】
【課題を解決するための手段】（１）本発明は、かかる課題を解決するためになされたものであって、その第１の手段として、
空気調和機の機能を指令制御
リモートコントロールユニット
空気調和機の機能メニュー画面を表示するドットマトリックス表示方式の液晶表示部
選択決定スイッチ
【０００８】上記の手段によれば、空気調和機の要求機能は、液晶表示部の機能メニュー画面の表示に従ってカーソル移動スイッチと選択決定スイッチとで選択決定ができるので、操作性が向上すると共に、機能選択スイッチの数を削減でき、また、表示方法の設定が自由に行なえて、変更追加が容易である。」（段落【０００７】、【０００８】）
　
ク．「【００２０】なお、図２に図示したスタートメニュー画面１０は、その実際のレイアウトを示すものではなく、模式的にスタートメニュー画面１０中の選択機能を示したものであって、実際のスタートメニュー画面１０中の各選択機能は、箇条書き、アイコン状の図案表示、記号等、適宜の形、配置で表されてよい。
【００２１】また、
スタートメニュー画面１０は
適宜な呼出しボタンを設け、
表示されるものであってもよい
【００２２】スタートメニュー画面１０中の各選択機能はカーソルボタン８の操作によって、各選択機能のどれかが選択候補として明示されるので、選択しようとする機能表示にカーソルを合わせ、選択決定スイッチ７を押すことにより、その機能が選択決定される。」（段落【００２０】〜【００２２】）
　
（３）当審拒絶理由で引用した、本願出願前に頒布された刊行物である特開２００６−７１１１５号公報（以下「刊行物３」という。）には、図面と共に、以下の記載がある。
　
ケ．「【００３０】
　具体的には、上記表示部１１は、台所リモコン１ａの制御部から指令に基づいて文字や図形を自由に表示できる
蛍光管ドットマトリクスよりなる表示パネル
表示部１１の画面の切り替え等を行うためのメニュースイッチ１２ｃ
表示部１１の操作事項選択画面の表示に従って操作事項を選択等するための選択スイッチ１２ｆ〜１２ｈ
　
コ．「【００３８】
　また、上記各操作事項選択画面で表示される
操作事項は、上記選択スイッチ１２ｆ〜１２ｈの上方位置に、各選択スイッチ１２ｆ〜１２ｈに対応するように表示される
【００３９】
　そして、各操作事項の選択は、表示された操作事項（タグ）に対応する選択スイッチ１２ｆ〜１２ｈの押圧操作によって行われる。したがって、１頁目の操作事項選択画面が表示されている際に、
上記選択スイッチ１２ｆが押圧操作されると、この選択スイッチ１２ｆに対応する位置に表示されたタグＴ１の操作事項、つまり、「ふろ予約」が選択され、「ふろ予約」に関する操作入力画面が表示される
　
３．対比
　本願発明と刊行物１記載の発明を対比すると、刊行物１記載の発明の「エアコン」は本願発明の「空気調和機」に相当し、以下同様に、「エアコンの操作に用いられるリモートコントローラ」は「空気調和機に係る機器に対して設けられるリモートコントロール装置」に、「液晶パネル７、８」は「表示パネル」に、「表示装置３」は「表示手段」に、「設定キースイッチ５」は「ファンクションキー」に、「状態表示部10、12」は「メイン表示部分」に、「近接配置される」は「近傍となる」に、「機能表示部９、11」は「操作ガイド部分」に、各々、相当する。
　
　また、刊行物１記載の発明の「液晶パネル７、８の切替え処理に応じた操作信号を送信する切替えキースイッチ４」は、本願発明の「予め定められた機能に対する処理に応じた操作信号を送信する固定キー」に相当する。
　
　したがって、本願発明と刊行物１記載の発明の一致点及び相違点は、次のとおりである。
　
（一致点）
　空気調和機、冷熱機器および／または給湯機に係る機器に対して設けられるリモートコントロール装置であって、
　表示信号に基づく表示を行う表示パネルを有する表示手段と、
　前記表示パネルに沿って並んで配置され、押下されると操作信号を送信する複数のファンクションキーと、
　押下されると、予め定められた機能に対する処理に応じた操作信号を送信する固定キーと、
　前記機器における動作状態を文字および／または図柄で、前記表示パネル内のメイン表示部分に表示させるとともに、増加指示を示す内容と減少指示を示す内容とを含む前記ファンクションキーによる前記機器の動作状態に合わせた操作内容を、前記表示パネル内の前記ファンクションキーの近傍となる操作ガイド部分に表示させる前記表示信号を前記表示手段に送信する制御処理手段と
を備え、
　前記制御処理手段は、互いに隣り合う前記ファンクションキーによる操作内容が、増加指示を示す内容と減少指示を示す内容とを含む同類の前記処理に関するものであるときには、前記ファンクションキーの操作内容の上位概念の内容を示す文字を中央に表示させるように前記互いに隣り合うファンクションキーの操作内容の表示を一体化して、前記表示手段の前記操作ガイド部分に表示させるリモートコントロール装置。
　
（相違点１）　
　表示信号に基づく表示を行う表示パネルが、本願発明１においては「ドットマトリクス方式の表示パネル」であるのに対し、刊行物１記載の発明においては「画面が切り替え可能な積層された二枚の液晶パネル７、８」である点。  
 　 
（相違点２） 
　固定キーの機能及び制御処理手段に関して、本願発明１においては「固定キーの予め定められた機能は設定項目の一覧であるメニューを表示する機能であり、制御処理手段は、前記固定キーが送信した操作信号によりメイン表示部分に前記メニューを表示し、増加指示を示す内容と減少指示を示す内容とを含むファンクションキーからの操作信号により前記設定項目の選択に係る表示を行い、前記固定キーとして定められた機能である決定キーからの操作信号により決定した設定項目に基づいて、前記操作ガイド部分の表示を変更する」と特定されているのに対し、刊行物１記載の発明においては、「固定キーの予め定められた機能は液晶パネル７、８の切替え機能であり、制御処理手段は、固定キーが送信した操作信号により液晶パネル７、８を切替表示する」ものである点。 
　
４．判断
　そこで、上記相違点につき検討する。
　
（相違点１、２について）
　刊行物１記載の発明において、表示装置として画面が切り替え可能な積層された二枚の液晶パネル７、８を用いている理由は、「大きな表示装置を用いず、しかも操作キースイッチの数を増加させることなく表示装置と操作キースーッチを対応配置することができ、小型にして操作性の良いリモートコントローラを提供する」ためである（摘記事項イ参照）。　
　
　換言するならば、積層された二枚の液晶パネル７、８は、表示装置３の面積を拡大することなく
共通の表示領域を用いて
多数の情報を表示するため
　
　一方、刊行物１の出願日（昭和６３年８月２８日）以降、小型の表示領域を用いて多数の情報を表示する表示装置として、ソフトウエアのみで表示内容を切り換え可能な「ドットマトリクス方式の表示パネル」が広く採用されるに至り、さらに、より小型な表示装置を用いた場合でも多数の情報を見易く表示するため、「ドットマトリクス方式の表示パネル」に、固定キーである「メニューキー」、「決定キー」を併設したメニュー方式を採用することも、刊行物２（摘記事項キ、ク参照）、刊行物３記載（摘記事項ケ、コ参照）のように、本願出願前、周知の技術手段である。
　
　また、刊行物１記載の「設定キースイッチ５」は、温度に対応した「温度ＤＯＷＮ」、「温度ＵＰ」という増減キーとしての機能の外、タイマー、運転モード、風量に対応する場合には、状態表示部10、12に並列的に表示される複数の項目（運転モードの場合、自動運転、暖房、冷房、ドライ等）を選択的に設定する手段でもある（摘記事項ウ、エ参照）から、刊行物１記載のリモートコントローラの制御処理手段は「設定キースイッチ５からの操作信号により設定項目の選択に係る表示を行う」機能（以下「刊行物１記載の制御処理手段の他機能」という。）をも有するものである。
　
　したがって、刊行物１記載の発明において、より小型な表示装置を用いて多数の情報を見易く表示するために、表示パネルとして「ドットマトリクス方式の表示パネル」を用い、さらに、固定キーとして「設定項目の一覧であるメニューを表示するメニューキー」、「決定キー」を付加してメニュー方式を採用することは、上記周知の技術手段に倣って、当業者が容易になし得た事項である。
　
　そしてそのようなメニュー方式を採用する際に、「制御処理手段がメニューキーが送信した操作信号によりメイン表示部分に前記メニューを表示し」（摘記事項キ〜コ参照）、「ファンクションキーからの操作信号により前記設定項目の選択に係る表示を行い」（摘記事項ウ、エ、、キ〜コ参照）、「前記固定キーとして定められた機能である決定キーからの操作信号により決定した設定項目に基づいて、前記操作ガイド部分の表示を変更する」（特に、摘記事項コ段落【００３２】参照）ようにすることは、上記刊行物１記載の制御処理手段の他機能、及び上記周知の技術手段に倣って、当業者が容易になし得た事項である。
　
　また、本願発明により得られる効果も、刊行物１記載の発明、刊行物１記載の制御処理手段の他機能、及び上記周知の技術手段から、当業者であれば予測できる程度のものであって、格別なものとはいえない。
　
５．結び
　以上のとおりであるから、本願発明は、刊行物１記載の発明、刊行物１記載の制御処理手段の他機能、及び上記周知の技術手段に基づいて、当業者が容易に発明をすることができたものであり、特許法第２９条第２項の規定により特許を受けることができないから、本願の他の請求項に係る発明について検討するまでもなく、本願は拒絶すべきものである。
　
　よって、結論のとおり審決する。